(57)【要約】【課題】携帯電話端末が応答保留機能を有していなくても応答保留を可能とする技術の提供。【解決手段】車載着信システムは、携帯電話端末と通信を行う車載着信システムであって、前記携帯電話端末が音声通話を着信したことを検知する着信検知部と、前記音声通話を着信した場合に、前記携帯電話端末に対して、応答保留音声を送信するとともに、前記音声通話を確立して前記応答保留音声を発信電話端末に送信するように指令する応答保留部と、を備える。【選択図】図３
2020098951.tif 000002
【特許請求の範囲】
【請求項１】
携帯電話端末と通信を行う車載着信システムであって、
前記携帯電話端末が音声通話を着信したことを検知する着信検知部と、
前記音声通話を着信した場合に、前記携帯電話端末に対して、応答保留音声を送信するとともに、前記音声通話を確立して前記応答保留音声を発信電話端末に送信するように指令する応答保留部と、
を備える車載着信システム。
【請求項２】
前記応答保留部は、
前記音声通話を着信した場合に、応答保留機能を有していない前記携帯電話端末に対して、前記応答保留音声を送信するとともに、前記音声通話を確立して前記応答保留音声を前記発信電話端末に送信するように指令し、
前記応答保留機能を有している前記携帯電話端末に対して、前記応答保留音声を送信しない、
請求項１に記載の車載着信システム。
【請求項３】
前記応答保留部は、
前記音声通話を着信した場合に、前記携帯電話端末に対して、前記応答保留機能を起動するように指令し、
前記応答保留機能を起動できなかった前記携帯電話端末に対して、前記応答保留音声を送信するとともに、前記音声通話を確立して前記応答保留音声を前記発信電話端末に送信するように指令する、
請求項２に記載の車載着信システム。
【請求項４】
前記応答保留部は、
前記音声通話を着信した場合に、前記応答保留機能を起動できたか否かを判定するよりも前に、応答保留中であることを示す画像を表示部に表示させる、
請求項３に記載の車載着信システム。
【請求項５】
前記応答保留部は、前記携帯電話端末の機種情報に基づいて前記携帯電話端末が前記応答保留機能を有しているか否かを判定する、
請求項２に記載の車載着信システム。
【請求項６】
前記応答保留部は、
前記音声通話を着信した場合に、応答保留時の伝言録音機能を有していない前記携帯電話端末に対して、前記応答保留音声を送信するとともに、前記音声通話を確立して前記応答保留音声を前記発信電話端末に送信するように指令するとともに、前記応答保留音声に応答された発信者の伝言を録音して記録媒体に記録する、
請求項１から請求項５のいずれか一項に記載の車載着信システム。
【請求項７】
携帯電話端末と通信を行う車載着信システムのコンピュータを、
前記携帯電話端末が音声通話を着信したことを検知する着信検知部、
前記音声通話を着信した場合に、前記携帯電話端末に対して、応答保留音声を送信するとともに、前記音声通話を確立して前記応答保留音声を発信電話端末に送信するように指令する応答保留部、
として機能させる車載着信プログラム。
【発明の詳細な説明】
【技術分野】
【０００１】
本発明は、車載着信システムおよび車載着信プログラムに関する。
【背景技術】
【０００２】
携帯電話機と通信可能な車載ハンズフリー装置が知られている（特許文献１、参照）。特許文献１において、車載ハンズフリー装置は、携帯電話機が通話を着信した場合に、スピーカやマイクを制御してハンズフリー着信を行う。特許文献１において、ハンズフリー着信ができない状態で着信した場合に、応答保留中であることをユーザに報知するようにしている。
【先行技術文献】
【特許文献】
【０００３】
【特許文献１】特開２００９−１５９２３７号公報
【発明の概要】
【発明が解決しようとする課題】
【０００４】
しかしながら、特許文献１において、携帯電話機が応答保留機能を有していない場合には、応答保留を行うことができないという問題があった。特に、特許文献１においては、応答保留中であることがユーザに報知されるため、実際には携帯電話機が応答保留を行うことができていないにも拘わらず、応答保留中であるとユーザが誤認してしまう可能性がある。
本発明は、前記課題にかんがみてなされたもので、携帯電話端末が応答保留機能を有していなくても応答保留を可能とする技術の提供を目的とする。
【課題を解決するための手段】
【０００５】
前記の目的を達成するため、本発明の車載着信システムは、携帯電話端末と通信を行う車載着信システムであって、携帯電話端末が音声通話を着信したことを検知する着信検知部と、音声通話を着信した場合に、携帯電話端末に対して、応答保留音声を送信するとともに、音声通話を確立して応答保留音声を発信電話端末に送信するように指令する応答保留部と、を備える。
【０００６】
前記の目的を達成するため、本発明の車載着信プログラムは、携帯電話端末と通信を行う車載着信システムのコンピュータを、携帯電話端末が音声通話を着信したことを検知する着信検知部、音声通話を着信した場合に、携帯電話端末に対して、応答保留音声を送信するとともに、音声通話を確立して応答保留音声を発信電話端末に送信するように指令する応答保留部、として機能させる。
【０００７】
前記の構成において、車載着信システムが携帯電話端末に応答保留音声を送信し、当該応答保留音声を発信電話端末に送信するように指令することにより、携帯電話端末が応答保留機能を有していなくても応答保留を可能とする。すなわち、車載着信システムが携帯電話端末の代わりに応答保留機能を実現することができる。
【図面の簡単な説明】
【０００８】
【図１】車載着信システムのブロック図である。
【図２】図２Ａは着信通知画像を示す図、図２Ｂは応答保留画像を示す図である。
【図３】図３Ａ〜図３Ｄは車載着信システムとスマートフォンの動作説明図である。
【図４】応答保留処理のフローチャートである。
【発明を実施するための形態】
【０００９】
ここでは、下記の順序に従って本発明の実施の形態について説明する。
（１）車載着信システムの構成：
（２）応答保留処理：
（３）他の実施形態：
【００１０】
（１）車載着信システムの構成：
図１は、本発明の一実施形態にかかる車載着信システム１０の構成を示すブロック図である。車載着信システム１０は、車両に搭載された車載器であり、携帯電話端末としてのスマートフォン１００（１００Ａ，１００Ｂ）と通信を行う。ユーザはスマートフォン１００を携帯した状態で、車載着信システム１０が搭載された車両に乗車している。なお、図１は、スマートフォン１００が車両に搭載されたものでないことを示すものであり、スマートフォン１００が車両の外部に存在していることを示すものではない。車載着信システム１０は、制御部２０と記録媒体３０とを備えている。制御部２０は、ＣＰＵとＲＡＭとＲＯＭ等を備え、記録媒体３０やＲＯＭに記憶された車載着信プログラム２１を実行する。
【００１１】
記録媒体３０は、応答保留音声データ３０ａを記録している。応答保留音声データ３０ａは、応答保留メッセージを出力するための音声データである。応答保留メッセージは、スマートフォン１００のユーザが受話できない状態であることを発信者に伝達するためのメッセージである。応答保留メッセージは特に限定されないが、一例として『ただ今電話に出ることができません。恐れ入りますが、しばらく経ってからおかけ直しください。』が挙げられる。本明細書において、受話するとは、発信者の端末とスマートフォン１００との間で音声通話を確立し、なおかつ、スマートフォン１００のユーザが発信者との間で音声による会話を行うことを意味する。
【００１２】
車両は、通信部４０とタッチパネルディスプレイ４１とマイク４２とスピーカ４３とを備えている。通信部４０は、車両内においてスマートフォン１００と近距離無線通信を行うための通信回路である。本実施形態において、通信部４０は、通信規格としてＢｌｕｅｔｏｏｔｈ（登録商標）を採用している。
【００１３】
車載着信システム１０とスマートフォン１００との間のペアリングが予め完了しており、ＨＦＰ(Hands-Free Profile)プロファイルが有効化されている。ＨＦＰプロファイルとは、車載着信システム１０をハンズフリー端末として機能させるためのプロファイルである。車載着信システム１０とスマートフォン１００は、ＨＦＰプロファイルに規定されたコマンドやデータを授受することにより、車載着信システム１０をハンズフリー端末として機能させる。
【００１４】
タッチパネルディスプレイ４１は、制御部２０が生成した映像信号に基づいて映像を出力するディスプレイと、当該ディスプレイ上におけるユーザの指等の接触操作を検知するタッチパネルとを含む。マイク４２は、集音した音声を電気信号に変換する装置である。スピーカ４３は、制御部２０が出力した音声信号に基づいて音声を出力する。
【００１５】
次に、車載着信システム１０のソフトウェア構成について説明する。車載着信プログラム２１は、着信検知モジュール２１ａと応答保留モジュール２１ｂとを含む。着信検知モジュール２１ａと応答保留モジュール２１ｂとは、それぞれコンピュータとしての制御部２０を着信検知部と応答保留部として機能させるプログラムモジュールである。
【００１６】
着信検知モジュール２１ａの機能により制御部２０は、携帯電話端末としてのスマートフォン１００が音声通話を着信したことを検知する。スマートフォン１００は、携帯電話通信網を介して、発信者の端末である発信電話端末２００から音声通話を着信すると、音声通話を着信したことを示す着信通知コマンドを車載着信システム１０に送信する。着信検知モジュール２１ａの機能により制御部２０は、着信通知コマンドを受信することにより、スマートフォン１００が音声通話を着信したことを検知する。着信通知コマンドには、発信電話端末２００に対応付けられた電話番号と発信者名とを示すデータが含まれている。
【００１７】
着信検知モジュール２１ａの機能により制御部２０は、着信通知コマンドを受信すると、着信通知画像をタッチパネルディスプレイ４１に表示させ、タッチパネルディスプレイ４１に対するユーザの操作を受け付ける。
【００１８】
図２Ａは、着信通知画像を示す。着信通知画像は、情報表示部Ｉと受話ボタンＢ１と拒否ボタンＢ２とを含んでいる。情報表示部Ｉは、スマートフォン１００が音声通話を着信した旨と発信者の電話番号と発信者名とを示す領域である。受話ボタンＢ１は、ユーザがハンズフリーで受話したい場合に操作するボタンである。
【００１９】
受話ボタンＢ１に指等を接触させる操作が受け付けられると、着信検知モジュール２１ａの機能により制御部２０は、ハンズフリー受話状態へと移行する。図３Ａは、ハンズフリー受話状態の模式図である。図３Ａに示すように、ハンズフリー受話状態において、制御部２０は、スマートフォン１００に発信電話端末２００との音声通話を確立させるとともに、車両に備えられたマイク４２とスピーカ４３とを利用して音声通話を実現する。
【００２０】
具体的に、制御部２０は、スマートフォン１００を中継して、発信電話端末２００から送信された音声データを受信する。そして、制御部２０は、受信した音声データに対してデコードやＤ／Ａ変換等の信号処理を行ってスピーカ４３から出力させる。また、制御部２０は、マイク４２にて集音した音声に対してＡ／Ｄ変換やエンコード等の信号処理を行うことにより音声データを生成する。さらに、制御部２０は、生成した音声データを発信電話端末２００に送信するように、スマートフォン１００に指令する。これにより、ユーザは、ユーザはスマートフォン１００を手に持つことなく発信者と通話することができる。
【００２１】
なお、ユーザは、着信通知画像の表示中にスマートフォン１００を直接操作することにより受話することも可能である。この場合、着信検知モジュール２１ａの機能により制御部２０は、通常受話状態へと移行する。図３Ｂは、通常受話状態の模式図である。図３Ｂに示すように、通常受話状態において、スマートフォン１００は、スマートフォン１００に備えられたマイクとスピーカを利用して音声通話を実現する。通常受話状態に移行した場合、着信検知モジュール２１ａの機能により制御部２０は、着信通知画像の表示を終了し、着信がある前に表示していた画像（例えばナビゲーション画像）を表示する状態に復帰する。
【００２２】
一方、図２Ａの着信通知画像において、拒否ボタンＢ２を長押し（例えば接触期間が１秒以上）する操作が受け付けられると、着信検知モジュール２１ａの機能により制御部２０は、スマートフォン１００に対して発信電話端末２００との通信を切断させるコマンドを送信する。すなわち、制御部２０は、発信者との通話を拒否するように、スマートフォン１００に指令する。
【００２３】
図２Ａの着信通知画像において、拒否ボタンＢ２をタップ（例えば接触期間が１秒未満）する操作が受け付けられると、応答保留モジュール２１ｂの機能により制御部２０は、応答保留状態へと移行する。以下、拒否ボタンＢ２をタップする操作を応答保留操作と表記する。
【００２４】
具体的に、応答保留モジュール２１ｂの機能により制御部２０は、音声通話を着信した場合に、スマートフォン１００に対して、応答保留音声データ３０ａを送信するとともに、音声通話を確立して応答保留音声データ３０ａを発信電話端末２００に送信するように指令する。そのためにまず、応答保留モジュール２１ｂの機能により制御部２０は、音声通話を着信した場合に、スマートフォン１００に対して、応答保留機能を起動するように指令する。本実施形態において、音声通話を着信した場合とは、音声通話を着信し、かつ、応答保留操作が受け付けられた場合を意味する。
【００２５】
制御部２０は、応答保留操作が受け付けられると、スマートフォン１００に対して、応答保留機能を起動させるコマンドを送信する。ここで、図１に示すように、応答保留機能を有するスマートフォン１００Ａと、応答保留機能を有さないスマートフォン１００Ｂとが存在し得る。応答保留機能を有するスマートフォン１００Ａは、車載着信システム１０が記録している応答保留音声データ３０ａと同様の応答保留音声データ１３０ａを記録している。このようなスマートフォン１００Ａは、応答保留機能を起動すると、発信電話端末２００との音声通話を確立して、応答保留音声データ１３０ａを発信電話端末２００に送信することとなる。これにより、スマートフォン１００Ａによる応答保留状態が実現することとなる。
【００２６】
図３Ｃは、スマートフォン１００Ａによる応答保留状態の模式図である。同図に示すように、スマートフォン１００Ａ自体が応答保留音声データ１３０ａを発信電話端末２００に送信することにより、スマートフォン１００Ａのユーザが受話できない状態であることを発信者に伝達することができる。この場合、応答保留モジュール２１ｂの機能により制御部２０は、応答保留機能を有しているスマートフォン１００に対して、応答保留音声データ３０ａを送信しないこととなる。
【００２７】
応答保留機能を有するスマートフォン１００Ａは、応答保留機能を起動させるコマンドを車載着信システム１０から受信すると、応答保留音声データ１３０ａを発信電話端末２００に送信するとともに、応答保留機能を起動したことを通知するコマンドを車載着信システム１０に返信する。
【００２８】
一方、応答保留機能を有さないスマートフォン１００Ｂは、応答保留機能を起動したことを通知するコマンドを車載着信システム１０に返信しない。応答保留モジュール２１ｂの機能により制御部２０は、応答保留機能を起動させるコマンドを送信したにも拘わらず、応答保留機能を起動したことを通知するコマンドを受信しなかった場合、スマートフォン１００Ｂが応答保留機能を有しておらず、応答保留機能を起動できなかったと判定する。具体的に、応答保留機能を起動させるコマンドを送信した時刻から予め決められたタイムアウト期間（例えば２秒）が経過しても、応答保留機能を起動したことを通知するコマンドを受信しなかった場合に、制御部２０は、スマートフォン１００Ｂが応答保留機能を起動できなかったと判定する。
【００２９】
そして、応答保留モジュール２１ｂの機能により制御部２０は、音声通話を着信した場合に、応答保留機能を有していないスマートフォン１００Ｂ、すなわち応答保留機能を起動できなかったスマートフォン１００Ｂに対して、応答保留音声データ３０ａを送信するとともに、音声通話を確立して応答保留音声データ３０ａを発信電話端末２００に送信するように指令する。これにより、車載着信システム１０による応答保留状態が実現することとなる。
【００３０】
図３Ｄは、車載着信システム１０による応答保留状態の模式図である。同図に示すように、応答保留モジュール２１ｂの機能により制御部２０は、スマートフォン１００Ｂに対して応答保留音声データ３０ａを送信する。さらに、応答保留モジュール２１ｂの機能により制御部２０は、スマートフォン１００Ｂに対して発信電話端末２００との音声通話を確立させるとともに、応答保留音声データ３０ａを発信電話端末２００に送信させるコマンドを送信する。スマートフォン１００Ｂを中継して応答保留音声データ３０ａを発信電話端末２００に送信することにより、発信電話端末２００において応答保留音声データ３０ａが再生されることとなる。その結果、スマートフォン１００Ｂのユーザが受話できない状態であることを発信者に伝達することができる。
【００３１】
また、応答保留モジュール２１ｂの機能により制御部２０は、音声通話を着信した場合に、応答保留機能を起動できたか否かを判定するよりも前に、応答保留中であることを示す画像をタッチパネルディスプレイ４１に表示させる。具体的に、制御部２０は、応答保留操作が受け付けられると、即座に、応答保留画像をタッチパネルディスプレイ４１に表示させる。
【００３２】
本実施形態においては、応答保留機能を起動したことを通知するコマンドを待機するタイムアウト期間が経過した段階で、応答保留機能を起動できなかったことが判明するが、制御部２０は、当該タイムアウト期間の終了を待つことなく応答保留中であることを示す応答保留画像をタッチパネルディスプレイ４１に表示させる。すなわち、スマートフォン１００Ａと車載着信システム１０のどちらが応答保留を行うかが決定するのを待つことなく応答保留中であることを示す応答保留画像をタッチパネルディスプレイ４１に表示させる。
【００３３】
図２Ｂは、応答保留画像を示す。応答保留画像は、情報表示部Ｉと受話ボタンＢ１と拒否ボタンＢ２とを含んでいる。情報表示部Ｉは、応答保留中である旨と発信者の電話番号と発信者名とを示す領域である。受話ボタンＢ１は、ユーザが応答保留を中断して、ハンズフリーで受話したい場合に操作するボタンである。拒否ボタンＢ２は、ユーザが応答保留を中断して、即座に発信電話端末２００との通信を切断させたい場合に操作するボタンである。
【００３４】
以上説明した本実施形態の構成において、制御部２０は、音声通話を着信した場合に、スマートフォン１００に対して、応答保留音声データ３０ａを送信するとともに、音声通話を確立して応答保留音声データ３０ａを発信電話端末２００に送信するように指令することとした。これにより、スマートフォン１００が応答保留機能を有していなくても応答保留を可能とする。すなわち、車載着信システム１０がスマートフォン１００の代わりに応答保留機能を実現することができる。
【００３５】
ここで、応答保留機能を有しているスマートフォン１００Ａにおいては、スマートフォン１００自体の応答保留機能を起動させればよい。そのため、制御部２０は、応答保留機能を有しているスマートフォン１００Ａに対して応答保留音声を送信しないことにより、無駄な通信をしないようにすることができる。応答保留機能を有しているスマートフォン１００Ａにおいては、自らの応答保留機能を起動すればよいため、応答保留音声データ３０ａを車載着信システム１０から受信する必要はない。
【００３６】
また、制御部２０は、音声通話を着信した場合に、スマートフォン１００に対して、応答保留機能を起動するように指令することとした。そして、制御部２０は、応答保留機能を起動できなかったスマートフォン１００Ｂに対して、応答保留音声データ３０ａを送信するとともに、音声通話を確立して応答保留音声データ３０ａを発信電話端末２００に送信するように指令することとした。これにより、応答保留機能を有していないスマートフォン１００Ｂにおいては、車載着信システム１０がスマートフォン１００Ｂの代わりに応答保留機能を実現することができる。
【００３７】
制御部２０は、音声通話を着信した場合に、応答保留機能を起動できたか否かを判定するよりも前に、応答保留中であることを示す応答保留画像（図２Ｂ）をタッチパネルディスプレイ４１に表示させることとした。これにより、車載着信システム１０とスマートフォン１００のどちらが応答保留機能を実現するか判明するよりも前に応答保留中であることをユーザに知らせることができる。車載着信システム１０とスマートフォン１００のどちらが応答保留機能を実現するにしても、応答保留機能が実現できることには変わりないため、正しい情報を早期にユーザに提供できる。
【００３８】
（２）応答保留処理：
次に、車載着信プログラム２１の機能により車載着信システム１０が実行する応答保留処理を説明する。図４は、応答保留処理のフローチャートである。応答保留処理は、スマートフォン１００が持ち込まれた車両の走行中において常時実行されている処理である。
【００３９】
まず、着信検知モジュール２１ａの機能により制御部２０は、着信を検知したか否かを判定する（ステップＳ１００）。すなわち、制御部２０は、スマートフォン１００が発信電話端末２００から音声通話を着信したか否かを判定する。具体的に、制御部２０は、スマートフォン１００から着信通知コマンドを受信したか否かを判定する。
【００４０】
着信を検知したと判定しなかった場合（ステップＳ１００：Ｎ）、制御部２０は、ステップＳ１００に戻り、着信を検知するまで待機する。一方、着信を検知したと判定した場合（ステップＳ１００：Ｙ）、応答保留モジュール２１ｂの機能により制御部２０は、着信通知画像を表示する（ステップＳ１１０）。すなわち、制御部２０は、着信通知コマンドを受信すると、着信通知画像（図２Ａ）をタッチパネルディスプレイ４１に表示させ、タッチパネルディスプレイ４１に対するユーザの操作を受け付ける。
【００４１】
次に、応答保留モジュール２１ｂの機能により制御部２０は、応答保留操作があったか否かを判定する（ステップＳ１２０）。応答保留操作とは、着信通知画像の拒否ボタンＢ２をタップ（例えば接触期間が１秒未満）する操作である。
【００４２】
応答保留操作があったと判定しなかった場合（ステップＳ１２０：Ｎ）、着信検知モジュール２１ａの機能により制御部２０は、応答保留以外の動作を行う（ステップＳ１２５）。具体的に、制御部２０は、受話ボタンＢ１に指等を接触させる操作が受け付けられると、ハンズフリー受話状態へと移行する（図３Ａ）。また、制御部２０は、拒否ボタンＢ２を長押しする操作が受け付けられると、スマートフォン１００に対して発信電話端末２００との通信を切断させるコマンドを送信する。さらに、着信通知画像を表示中にスマートフォン１００にて受話する操作が行われた場合、制御部２０は、通常受話状態へと移行する（図３Ｂ）。
【００４３】
一方、応答保留操作があったと判定した場合（ステップＳ１２０：Ｙ）、応答保留モジュール２１ｂの機能により制御部２０は、スマートフォン１００に応答保留機能の起動を指令する（ステップＳ１３０）。すなわち、現時点においてスマートフォン１００が応答保留機能を有しているか否かが不明であるが、制御部２０は、スマートフォン１００に応答保留機能を起動させるためのコマンドを送信する。制御部２０は、応答保留機能を起動させるためのコマンドを送信した時刻を始期としてタイムアウト期間の計測を開始する。
【００４４】
次に、応答保留モジュール２１ｂの機能により制御部２０は、応答保留画像を表示する（ステップＳ１４０）。すなわち、制御部２０は、スマートフォン１００が応答保留機能を起動できたか否かが判定できるタイミング（タイムアウト期間の終了時刻）よりも前に、応答保留画像の表示を開始する（図２Ｂ）。
【００４５】
次に、応答保留モジュール２１ｂの機能により制御部２０は、スマートフォン１００が応答保留機能を起動できたか否かを判定する（ステップＳ１５０）。具体的に、制御部２０は、スマートフォン１００から応答保留機能を起動したことを通知するコマンドを受信した場合に、スマートフォン１００が応答保留機能を起動できたと判定する。一方、タイムアウト期間の終了時刻までに、スマートフォン１００から応答保留機能を起動したことを通知するコマンドを受信しなかった場合に、制御部２０は、スマートフォン１００が応答保留機能を起動できなかったと判定する。
【００４６】
スマートフォン１００が応答保留機能を起動できたと判定した場合（ステップＳ１５０：Ｙ）、応答保留モジュール２１ｂの機能により制御部２０は、応答保留処理を終了する。すなわち、制御部２０は、応答保留をスマートフォン１００に委ね、次の着信があるまで待機する（図３Ｃ）。
【００４７】
一方、スマートフォン１００が応答保留機能を起動できたと判定しなかった場合（ステップＳ１５０：Ｎ）、応答保留モジュール２１ｂの機能により制御部２０は、音声通話の確立を指令する（ステップＳ１６０）。すなわち、制御部２０は、発信電話端末２００との間で音声データの授受が可能となるように、スマートフォン１００に指令する。
【００４８】
次に、応答保留モジュール２１ｂの機能により制御部２０は、応答保留音声データ３０ａをスマートフォン１００に送信する（ステップＳ１７０）。すなわち、制御部２０は、応答保留機能を有しておらず、応答保留音声データ１３０ａを保持していないスマートフォン１００に対して、応答保留音声データ３０ａを送信する。
【００４９】
次に、応答保留モジュール２１ｂの機能により制御部２０は、応答保留音声データ３０ａを発信電話端末２００に送信するように指令する（ステップＳ１８０）。すなわち、制御部２０は、応答保留音声データ３０ａを発信電話端末２００に送信させるコマンドを送信する。応答保留音声データ３０ａを発信電話端末２００に送信することにより、発信電話端末２００において応答保留音声データ３０ａが再生されることとなる（図３Ｄ）。その結果、スマートフォン１００Ｂのユーザが受話できない状態であることを発信者に伝達することができる。
【００５０】
（３）他の実施形態：
本発明において、応答保留モジュール２１ｂの機能により制御部２０は、スマートフォン１００の機種情報に基づいてスマートフォン１００が応答保留機能を有しているか否かを判定してもよい。例えば、制御部２０は、ペアリングの際にスマートフォン１００の機種情報を取得してもよいし、予めユーザが登録したスマートフォン１００の機種情報を取得してもよい。機種情報とは、スマートフォン１００のモデルを示す情報であってもよいし、スマートフォン１００のメーカを示す情報であってもよいし、スマートフォン１００にインストールされているプログラム（電話プログラム，ＯＳ等）を示す情報であってもよい。スマートフォン１００の機種情報に基づいてスマートフォン１００が応答保留機能を有しているか否かを判定することにより、応答保留機能を有していないスマートフォン１００に対して、無駄に応答保留機能を起動させるように指令しないようにすることができる。
【００５１】
なお、スマートフォン１００に応答保留機能の起動を指令して応答保留機能を有しているか否かを判定する場合であっても、着信があるごとに、スマートフォン１００が応答保留機能を起動できたか否かを判定する必要はない。例えば、制御部２０は、ペアリングを行った後において、最初に着信があった際に、スマートフォン１００が応答保留機能を起動できたか否かを判定しておき、当該判定結果をスマートフォン１００のペアリング情報に対応付けて記録しておいてもよい。そして、制御部２０は、応答保留機能を起動できたと判定された旨が記録されているスマートフォン１００に対してのみ応答保留機能の起動を指令してもよい。一方、制御部２０は、応答保留機能を起動できたと判定されなかった旨が記録されているスマートフォン１００に対しては、応答保留音声データ３０ａを送信すればよい。
【００５２】
また、応答保留モジュール２１ｂの機能により制御部２０は、音声通話を着信した場合に、応答保留時の伝言録音機能を有していないスマートフォン１００に対して、応答保留音声データ３０ａを送信するとともに、音声通話を確立して応答保留音声データ３０ａを発信電話端末２００に送信するように指令するとともに、応答保留音声に応答された発信者の伝言を録音して記録媒体３０に記録してもよい。この場合、応答保留音声データ３０ａに基づいて出力される応答保留メッセージは、スマートフォン１００のユーザが受話できない状態であることを発信者に伝達するとともに、伝言を残すことを発信者に促すメッセージとなる。発信者の伝言を記録媒体３０に記録しておくことにより、ユーザは任意のタイミングで車載着信システム１０を操作して発信者の伝言を再生することができる。
【００５３】
以上の構成により、スマートフォン１００が伝言録音機能を有さなくても、発信者の伝言を録音することができる。ここで、応答保留時の伝言録音機能を有していないスマートフォン１００には、応答保留機能を有しているが伝言録音機能を有していないスマートフォン１００と、応答保留機能も伝言録音機能も有していないスマートフォン１００とが含まれる。制御部２０は、応答保留機能も伝言録音機能も有していないスマートフォン１００に対して、車載着信システム１０による応答保留状態を実現した上で、さらに発信者の伝言を録音すればよい。
【００５４】
一方、制御部２０は、応答保留機能を有しているが伝言録音機能を有していないスマートフォン１００に対して、車載着信システム１０による応答保留状態を実現した上で、さらに発信者の伝言を録音してもよい。この場合、スマートフォン１００が伝言録音機能を有していなくても、発信者の伝言を録音することが可能となる。むろん、制御部２０は、応答保留機能を有しているが伝言録音機能を有していないスマートフォン１００に対して、当該スマートフォン１００の応答保留機能の起動を指令してもよい。この場合、発信者の伝言が録音できないこととなるが、スマートフォン１００固有の応答保留機能を有効に利用できる。
【００５５】
さらに、制御部２０は、スマートフォン１００が応答保留機能を有しているか否かに拘わらず、車載着信システム１０による応答保留状態を実現するようにしてもよい。すなわち、スマートフォン１００のユーザが車両に乗車している場合には、常に、車載着信システム１０が記録している応答保留音声データ３０ａに基づいて応答保留メッセージを出力するようにしてもよい。従って、応答保留メッセージによって、ユーザが車両に乗車中（運転中）であるために、スマートフォン１００のユーザが受話できないことを発信者に伝達するようなことも可能となる。
【００５６】
本発明において、車載着信システムは、車両に搭載された着信システムであればよく、車両の一部であってもよいし、車両に搭載可能な車載器であってもよい。携帯電話端末とは、通話機能を有する携帯端末であればよく、例えば携帯電話やタブレット端末やスマートフォンであってもよい。通信部は、携帯電話端末と通信を行うことができればよく、無線通信を行ってもよいし、有線通信を行ってもよい。音声通話を着信するとは、発信者による音声通話の要求を携帯電話端末が受け付けることを意味する。
【００５７】
車載着信システムは、携帯電話端末が音声通話を着信すると、音声通話の受話または拒否の選択を受け付ける。車載着信システムは、音声通話を受話する選択がなされた場合にハンズフリー通話を行う機能を基本的な機能として実現する。ハンズフリー通話とは、携帯電話端末が通話を確立し、携帯電話端末が備えるマイクとスピーカの代わりに、車載着信システムまたは車両が備えるマイクとスピーカを使用した音声通話のことである。
【００５８】
着信検知部は、通信部の通信を介して携帯電話端末が音声通話を着信したことを検知することができる。また、着信検知部は、携帯電話端末が発する着信音や振動に基づいて音声通話を着信したことを検知してもよい。応答保留音声とは、携帯電話端末のユーザが現在通話をすることができないことを発信者に伝える音声であり、車載着信システムが生成する音声である。応答保留音声は、車載着信システムにプリインストールされた音声であってもよいし、ユーザが録音した音声であってもよい。
【００５９】
応答保留部は、音声通話を着信した場合に、携帯電話端末に対して、音声通話を確立するように指令する。さらに、携帯電話端末に対して、応答保留音声を発信電話端末に送信するように指令する。これにより、発信者は応答保留音声を聞くことができ、携帯電話端末のユーザが現在通話をすることができないこと認識することができる。音声通話を着信した場合とは、少なくとも音声通話を着信した場合であり、音声通話を着信し、かつ、ユーザが応答保留の操作を行った場合であってもよい。すなわち、車載着信システムは、音声通話の受話と応答保留と拒否の選択を受け付けてもよく、当該選択を受け付けるためのＵＩ画像を表示してもよい。応答保留部は、ユーザから応答保留の選択を受け付けた場合に、音声通話を確立して応答保留音声を発信電話端末に送信するように指令してもよい。また、応答保留部は、音声通話の受話と拒否を選択する操作が一定の期間以上受け付けられなかった場合に、音声通話を確立して応答保留音声を発信電話端末に送信するように指令してもよい。
【００６０】
また、応答保留部は、音声通話を着信した場合に、応答保留機能を有していない携帯電話端末に対して、応答保留音声を送信するとともに、音声通話を確立して応答保留音声を発信電話端末に送信するように指令し、応答保留機能を有している携帯電話端末に対して、応答保留音声を送信しないようにしてもよい。ここで、応答保留機能を有している携帯電話端末においては、携帯電話端末自体の応答保留機能を起動させればよい。そのため、応答保留機能を有している携帯電話端末に対して応答保留音声を送信しないことにより、無駄な通信をしないようにすることができる。応答保留機能を有している携帯電話端末においては、自らの応答保留機能を起動すればよいため、応答保留音声を車載着信システムから受信する必要はない。
【００６１】
さらに、応答保留部は、音声通話を着信した場合に、携帯電話端末に対して、応答保留機能を起動するように指令し、応答保留機能を起動できなかった携帯電話端末に対して、応答保留音声を送信するとともに、音声通話を確立して応答保留音声を発信電話端末に送信するように指令してもよい。応答保留機能を有している携帯電話端末においては、携帯電話端末自体の応答保留機能を起動させることができる。応答保留機能を有していない携帯電話端末においては、車載着信システムが携帯電話端末の代わりに応答保留機能を実現することができる。
【００６２】
また、応答保留部は、音声通話を着信した場合に、応答保留機能を起動できたか否かを判定するよりも前に、応答保留中であることを示す画像を表示部に表示させてもよい。これにより、車載着信システムと携帯電話端末のどちらが応答保留機能を実現するか判明するよりも前に応答保留中であることをユーザに知らせることができる。車載着信システムと携帯電話端末のどちらが応答保留機能を実現するにしても、応答保留機能が実現できることには変わりないため、正しい情報を早期にユーザに提供できる。
【００６３】
さらに、応答保留部は、携帯電話端末の機種情報に基づいて携帯電話端末が応答保留機能を有しているか否かを判定してもよい。これにより、応答保留機能を有していない携帯電話端末に対して、無駄に応答保留機能を起動させるように指令しないようにすることができる。
【００６４】
また、応答保留部は、音声通話を着信した場合に、応答保留時の伝言録音機能を有していない携帯電話端末に対して、応答保留音声を送信するとともに、音声通話を確立して応答保留音声を発信電話端末に送信するように指令するとともに、応答保留音声に応答された発信者の伝言を録音して記録媒体に記録してもよい。これにより、携帯電話端末が伝言録音機能を有さなくても、発信者の伝言を録音することができる。一方、携帯電話端末が伝言録音機能を有しているのであれば、携帯電話端末に伝言録音機能を起動させればよい。
【００６５】
さらに、本発明のように、車載着信システムが携帯電話端末の代わりに応答保留機能を実現する手法は、プログラムや方法としても適用可能である。また、以上のようなシステム、プログラム、方法は、単独の装置として実現される場合もあれば、車両に備えられる各部と共有の部品を利用して実現される場合もあり、各種の態様を含むものである。例えば、以上のような装置を備えた車載着信システム、車載着信システムや方法、プログラムを提供することが可能である。また、一部がソフトウェアであり一部がハードウェアであったりするなど、適宜、変更可能である。さらに、装置を制御するプログラムの記録媒体としても発明は成立する。むろん、そのソフトウェアの記録媒体は、磁気記録媒体であってもよいし半導体メモリであってもよいし、今後開発されるいかなる記録媒体においても全く同様に考えることができる。
【符号の説明】
【００６６】
１０…車載着信システム、２０…制御部、２１…車載着信プログラム、２１ａ…着信検知モジュール、２１ｂ…応答保留モジュール、３０…記録媒体、３０ａ…応答保留音声データ、４０…通信部、４１…タッチパネルディスプレイ、４２…マイク、４３…スピーカ、１００…スマートフォン、１３０ａ…応答保留音声データ、２００…発信電話端末、Ｂ１…受話ボタン、Ｂ２…拒否ボタン、Ｉ…情報表示部
【図１】
2020098951.tif 000003
【図２】
2020098951.tif 000004
【図３】
2020098951.tif 000005
【図４】
2020098951.tif 000006